(57)【特許請求の範囲】
【請求項１】
疎水基１個当たりのエチレンオキサイド付加モル数が８未満のノニオン性界面活性剤を必須成分とする乳化分散剤を用いて、平均粒子径が１００ｎｍ以下かつ積分球濁度が２０度（カオリン）以下になるように重合性化合物が水中に乳化されており、疎水基１個当たりのエチレンオキサイド付加モル数が８以上の界面活性剤および保護コロイドからなる群から選択される少なくとも１種の重合分散剤が重合前に重合性化合物の乳化液に添加されており、有機溶剤を含まない重合性化合物乳化液を重合して得られる共重合体を含有してなる撥水撥油剤水性分散液組成物。
【請求項２】
重合性化合物が、パ−フルオロアルキル基もしくはパ−フルオロアルケニル基およびアクリル酸基もしくはメタクリル酸基を有する重合性化合物、あるいはそれらと共重合可能な重合性化合物である請求項１に記載の撥水撥油剤水性分散液組成物。
【請求項３】
（Ａ）  パ−フルオロアルキル基もしくはパ−フルオロアルケニル基およびアクリル酸基もしくはメタクリル酸基を有する重合性化合物の少なくとも１種のホモ重合体もしくは共重合体またはそれらと共重合可能な重合性化合物との共重合体、
（Ｂ）  重合性化合物を乳化する際に用いる、イオン性界面活性剤および／または疎水基１個当たりのエチレンオキサイド付加モル数が８未満のノニオン性界面活性剤を必須成分とする乳化分散剤、および
（Ｃ）  重合性化合物乳化液を調製した後で重合前に添加される、疎水基１個当たりのエチレンオキサイド付加モル数が８以上のノニオン性界面活性剤および／または保護コロイドを必須成分とする重合分散剤
を含有してなり、
平均粒子径が１００ｎｍ以下かつ積分球濁度が２０度（カオリン）以下になるように重合性化合物が水中に乳化されている重合性化合物乳化液を重合して得られている撥水撥油剤水性分散液組成物。
【請求項４】
水溶性の重合性化合物あるいは揮発性の重合性化合物を乳化後でかつ重合前に添加する請求項１〜３のいずれかに記載の撥水撥油剤水性分散液組成物。
【請求項５】
疎水基１個当たりのエチレンオキサイド付加モル数が８未満のノニオン性界面活性剤を必須成分とする乳化分散剤を用いて、重合性化合物を平均粒子径が１００ｎｍ以下かつ積分球濁度が２０度（カオリン）以下になるように水中に乳化し、疎水基１個当たりのエチレンオキサイド付加モル数が８以上の界面活性剤および保護コロイドからなる群から選択される少なくとも１種の重合分散剤を重合前に添加して、有機溶剤を含まない重合性化合物乳化液を調製し、重合性化合物を重合して共重合体を形成することからなる撥水撥油剤水性分散液組成物の製造方法。
【請求項６】
請求項１〜４のいずれかに記載の組成物で被処理物を処理して得られた処理物。
【請求項７】
重合性化合物が、パ−フルオロアルキル基もしくはパ−フルオロアルケニル基およびアクリル酸基もしくはメタクリル酸基を有する重合性化合物、あるいはそれらと共重合可能な重合性化合物である請求項５に記載の製造方法。
【発明の詳細な説明】
【発明の分野】
本発明は、有機溶剤を含まない撥水擬油剤水性分散液組成物に関する。
【関連技術】
パーフルオロアルキル基含有（メタ）アクリレート共重合体は撥水撥油剤として広く用いられている。パーフルオロアルキル基含有（メタ）アクリレート共重合体を得るためには、塊状重合、溶液重合、分散重合、乳化重合などの重合法が用いられる。中でも、乳化重合はパーフルオロアルキル基含有（メタ）アクリレート共重合体が直接水性エマルションとして得られるため工業的に利点を有している。しかしながら、パーフルオロアルキル基含有（メタ）アクリレートは水に極めて難溶であり、水のみを分散媒とした乳化重合では反応が進行しにくいことが知られている。そのため、乳化重合の際にモノマーの溶解性を向上させる目的で補助溶剤（ケトン系やグリコール系などの有機溶剤）を用いる方法が従来提案されてきた（ＵＳＰ  ３０６２７６５、３４０３１２２、３０６８１８７）。
ところが、例えばアセトンなどの低引火性溶剤を用いると製品の可燃性の問題があり、また高引火性溶剤であっても有機溶剤の使用は加工時に大気汚染や排水汚染といった環境を悪化させるという問題があった。
一方、重合性化合物を非常に微細な乳化液とすれば通常の乳化重合では反応が進行しにくい重合性化合物も重合が可能であり、ミニエマルション重合として知られている。パーフルオロアルキル基含有（メタ）アクリレートの重合においても各種のミニエマルション重合による補助溶剤を用いない撥水撥油剤水性分散液の製造法が提案されている。例えば、特開平４−２４８８６３号公報では、フッ素系あるいは炭化水素系アミンオキサイドを乳化剤として用いることで有機溶剤を用いずにパーフルオロアルキル基含有（メタ）アクリレートの安定な乳化液が得られ、これを重合することでパーフルオロアルキル基含有（メタ）アクリレート共重合体のエマルションが得られるとしている。また、特開平１１−２５５９９５号公報には該モノマーをベタイン型乳化剤あるいはアミンオキサイド型乳化剤およびノニオン系乳化剤を用い、２〜５．５のｐＨ条件下で乳化重合させることを特徴とする水性エマルジョンの製造法が記載されている。また、特開平５−１７５３８号公報および特開平６−４９３１９号公報では、カルボキシル基含有重合性化合物とヒドロキシル基含有重合性化合物を用いることでパーフルオロアルキル基含有（メタ）アクリレートが安定に乳化され、ミニエマルション重合が可能であるとしている。
しかしながら、これらの提案されている方法でミニエマルション重合を行った場合、乳化後のエマルションの安定性が悪いがために重合後の貯蔵安定性が著しく悪い。例えば、特開平１１−２５５９９５号公報に記載の方法で製造した重合品は貯蔵安定性が著しく悪いという問題点があり、実用化が困難である。重合後の貯蔵安定性が著しく悪い原因は、重合物の粒子径が細かくならない、あるいは粗大粒子が生成してエマルションの安定性を低下させるためである。ミニエマルション重合では重合物の粒子径が重合性化合物の乳化時の粒子径によって支配されるため、重合後の貯蔵安定性を良好にするためには乳化時に十分粒子を細かくし、かつ、粗大粒子が残らないようにする必要がある。しかしながら、従来提案されている乳化剤を用いた場合には粒子を十分細かくし、かつ粗大粒子の生成を抑えることは困難であった。また、粒子を十分に細かくする、あるいは安定性を向上させるために乳化剤を過剰に用いた場合、耐久撥水撥油性や染色堅牢度等の性能が著しく悪化し、実用上問題があった。
すなわち、従来技術においては高度な撥水撥油性を示す撥水撥油剤水性分散液において無溶剤化と優れた貯蔵安定性は両立しえなかった。
【発明の概要】
本発明の目的は、有機溶剤を含まず、耐久性のある撥水撥油性及び優れた貯蔵安定性を有する撥水撥油剤水性分散液を提供することにある。
本発明は、平均粒子径が１００ｎｍ以下かつ積分球濁度が２０度（カオリン）以下になるように重合性化合物が水中に乳化されており、疎水基１個当たりのエチレンオキサイド付加モル数が８以上の界面活性剤および保護コロイドからなる群から選択される少なくとも１種の重合分散剤が重合前に重合性化合物の乳化液に添加されており、有機溶剤を含まない重合性化合物乳化液を重合して得られる共重合体を含有してなる撥水撥油剤水性分散液組成物を提供する。
さらに、本発明は、
（Ａ）  パーフルオロアルキル基もしくはパーフルオロアルケニル基およびアクリル酸基もしくはメタクリル酸基を有する重合性化合物の少なくとも１種のホモ重合体もしくは共重合体またはそれらと共重合可能な重合性化合物との共重合体、
（Ｂ）  重合性化合物を乳化する際に用いる、イオン性界面活性剤および／または疎水基１個当たりのエチレンオキサイド付加モル数が８未満のノニオン性界面活性剤を必須成分とする乳化分散剤、および
（Ｃ）  重合性化合物乳化液を調製した後で重合前に添加される、疎水基１個当たりのエチレンオキサイド付加モル数が８以上のノニオン性界面活性剤および／または保護コロイドを必須成分とする重合分散剤
を含有してなる撥水撥油剤水性分散液組成物を提供する。
加えて、本発明は、重合性化合物を平均粒子径が１００ｎｍ以下かつ積分球濁度が２０度（カオリン）以下になるように水中に乳化し、疎水基１個当たりのエチレンオキサイド付加モル数が８以上の界面活性剤および保護コロイドからなる群から選択される少なくとも１種の重合分散剤を重合前に添加して、有機溶剤を含まない重合性化合物乳化液を調製し、重合性化合物を重合して共重合体を形成することからなる撥水撥油剤水性分散液組成物の製造方法をも提供する。
［発明の詳細な説明］
優れた貯蔵安定性を有する撥水撥油剤水性分散液を補助溶剤を用いずに重合させるためには、平均粒子径が１００ｎｍ以下かつ積分球濁度が２０度（カオリン）以下を有するように重合性化合物を乳化した後に重合性化合物を重合する。平均粒子径が１００ｎｍより大きい場合および／または積分球濁度が２０度（カオリン）より大きい場合は、重合後の撥水撥油剤水性分散液に含まれる粗大粒子が多くなるために製品沈降量が多くなる。積分球濁度は１０度以下であってもよい。
重合性化合物を望ましい平均粒子径および積分球濁度まで乳化する方法としては、アセトン等の低沸点有機溶剤を補助溶剤に用いて乳化する方法や、実質的に有機溶剤を用いずに水のみを分散媒として乳化する方法が挙げられる。乳化時に補助溶剤を用いた場合には、重合前に脱溶剤を行うことにより、有機溶剤を含まず望ましい平均粒子径および積分球濁度を有する乳化液を得ることができる。また、補助溶剤を用いない場合でも乳化剤を適切に組み合わせることで望ましい平均粒子径および積分球濁度を得ることが可能である。なお、これらの乳化において脱溶剤後に少量の有機溶剤が残存したり、原料に含まれる少量の有機溶剤が混入する場合があるが、これらの有機溶剤はごく少量（例えば、撥水撥油剤水性分散液組成物に対して、１．０重量％以下、例えば、０．５重量％以下、特に０．２重量％以下）であるため可燃性等の問題を生じず、本発明の意義を損なうものではない。また、このような少量の有機溶剤が存在しても、重合性化合物（特に、パーフルオロアルキル基またはパーフルオロアルケニル基含有（メタ）アクリレート）の溶解性にはほとんど影響が無く、補助溶剤を用いずに重合を行うとした本発明の特色を損なうものではない。
重合性化合物は、パーフルオロアルキル基もしくはパーフルオロアルケニル基およびアクリル酸基もしくはメタクリル酸基を有する重合性化合物、あるいはそれらと共重合可能な重合性化合物である。
パーフルオロアルキル基もしくはパーフルオロアルケニル基およびアクリル酸基もしくはメタクリル酸基を有する重合性化合物の例として、式：
0005298399.tif 000002
［式中、Ｒｆは炭素数３〜２１のパーフルオロアルキル基またはパーフルオロアルケニル基、Ｒ１は水素または炭素数１〜１０のアルキル基、Ｒ２は炭素数１〜１０のアルキレン基、Ｒ３は水素またはメチル基、Ａｒは置換基を有することもあるアリール基、ｎは１〜１０の整数を表わす。］
で示される含フッ素（メタ）アクリレートを挙げることができる。
さらに具体的には、
ＣＦ３（ＣＦ２）７（ＣＨ２）ＯＣＯＣＨ＝ＣＨ２、
ＣＦ３（ＣＦ２）６（ＣＨ２）ＯＣＯＣ（ＣＨ３）＝ＣＨ２、
（ＣＦ３）２ＣＦ（ＣＦ２）６（ＣＨ２）２ＯＣＯＣＨ＝ＣＨ２、
ＣＦ３（ＣＦ２）７（ＣＨ２）２ＯＣＯＣ（ＣＨ３）＝ＣＨ２、
ＣＦ３（ＣＦ２）７（ＣＨ２）２ＯＣＯＣＨ＝ＣＨ２、
ＣＦ３（ＣＦ２）７ＳＯ２Ｎ（ＣＨ３）（ＣＨ２）２ＯＣＯＣＨ＝ＣＨ２、
ＣＦ３（ＣＦ２）７ＳＯ２Ｎ（Ｃ２Ｈ５）（ＣＨ２）２ＯＣＯＣ（ＣＨ３）＝ＣＨ２、
（ＣＦ３）２ＣＦ（ＣＦ２）６ＣＨ２ＣＨ（ＯＣＯＣＨ３）ＣＨ２ＯＣＯＣ（ＣＨ３）＝ＣＨ２、
（ＣＦ３）２ＣＦ（ＣＦ２）６ＣＨ２ＣＨ（ＯＨ）ＣＨ２ＯＣＯＣＨ＝ＣＨ２、
0005298399.tif 000003
を例示することができる。
他の共重合可能な重合性化合物には種々のものがあるが、例示すると、
（１）アクリル酸およびメタクリル酸ならびにこれらのメチル、エチル、ブチル、イソブチル、ｔ−ブチル、プロピル、２−エチルヘキシル、ヘキシル、デシル、ラウリル、ステアリル、イソボルニル、β−ヒドロキシエチル、グリシジルエステル、フェニル、ベンジル、４−シアノフェニルエステル類、（２）酢酸、プロピオン酸、カプリル酸、ラウリル酸、ステアリン酸等の脂肪酸のビニルエステル類、（３）スチレン、α−メチルスチレン、ｐ−メチルスチレン等のスチレン系化合物、（４）フッ化ビニル、塩化ビニル、臭化ビニル、フッ化ビニリデン、塩化ビニリデン等のハロゲン化ビニルまたはビニリデン化合物類、（５）ヘプタン酸アリル、カプリル酸アリル、カプロン酸アリル等の脂肪族のアリルエステル類、（６）ビニルメチルケトン、ビニルエチルケトン等のビニルアルキルケトン類、（７）Ｎ−メチルアクリルアミド、Ｎ−メチロールメタクリルアミド等のアクリルアミド類および（８）２，３−ジクロロ−１，３−ブタジエン、イソプレン等のジエン類などを例示できる。
重合性化合物を水に乳化させる際に用いる分散剤を「乳化分散剤」と呼ぶ。乳化分散剤としては、疎水基１個当たりのエチレンオキサイド付加モル数が８未満のノニオン性界面活性剤を用いることが好ましく、さらに好ましくは疎水基１個当たりのエチレンオキサイド付加モル数が８未満のノニオン性界面活性剤とイオン性界面活性剤の組み合わせ（重量比、例えば、１：０．０１〜５）を用いることができる。
イオン性界面活性剤は、カチオン性界面活性剤あるいはアニオン性界面活性剤を単独あるいは複数組み合わせて使用することができる。
カチオン性界面活性剤としては、第４級アンモニウム塩、エチレンオキサイド付加型アンモニウム塩、アミン塩等が挙げられ、具体的にはアルキルトリメチルアンモニウムクロライド、ジアルキルジメチルアンモニウムクロライド、アルキルメチルジポリオキシエチレンアンモニウムクロライド、アルキルアミン酢酸塩、アルキルジメチルアミン塩酸塩が挙げられる。
アニオン性界面活性剤としては、脂肪酸塩、アルファオレフィンスルホン酸塩、アルキルベンゼンスルホン酸及びその塩、アルキル硫酸エステル塩、アルキルエーテル硫酸エステル塩、アルキルフェニルエーテル硫酸エステル塩、メチルタウリン酸塩、スルホコハク酸塩、エーテルスルホン酸塩等が挙げられる。
乳化分散剤の量は重合性化合物１００重量部当たり０．１〜２０重量部、好ましくは１〜１０重量部であってよい。
乳化分散剤は、疎水基１個当たりのエチレンオキサイド付加モル数が８未満のノニオン性界面活性剤であってよい。そのような乳化分散剤の例としては、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル等が挙げられる。
重合性化合物乳化液に重合前に添加する分散剤を「重合分散剤」と呼ぶ。
平均粒子径および積分球濁度が所定の乳化物を重合することで安定な撥水撥油剤水性分散液を得ることが可能であるが、さらに安定性に優れた撥水撥油剤水性分散液を得るためには、重合中の乳化破壊を抑えるために重合前に重合分散剤（すなわち、疎水基１個当たりのエチレンオキサイド付加モル数が８以上の界面活性剤あるいは保護コロイド）を添加して重合することが好ましい。
エチレンオキサイド付加モル数が８以上の界面活性剤は特に制限はなく、ノニオン性であっても、イオン性基（アニオン性基および／またはカチオン性基）を有していても良い。ノニオン性の界面活性剤の例としては、ポリオキシエチレンアルキルエーテル、ポリオキシエチレンアルキルフェニルエーテル、ポリオキシエチレン脂肪酸エステル、ポリオキシエチレンソルビタン脂肪酸エステル等が挙げられる。アニオン性基を有する界面活性剤の例は、アルキルエーテル硫酸エステル塩、アルキルフェニルエーテル硫酸エステル塩、エーテルスルホン酸塩である。カチオン性基を有する界面活性剤の例は、エチレンオキサイド付加型アンモニウム塩、エチレンオキサイド付加型アルキルアミン、エチレンオキサイド付加型アルキルアミドである。
保護コロイドとしては、ポリビニルアルコール、ポリアクリル酸塩、水溶性でんぷん、水溶性セルロース誘導体などの水溶性高分子化合物が挙げられる。
重合分散剤の量は重合性化合物１００重量部当たり０．１〜２０重量部、好ましくは１〜１０重量部であってよい。
また、重合分散剤に溶解させることで、メルカプタン等の連鎖移動剤を乳化液中に均一に分散させることもできる。
乳化分散剤および重合分散剤は、１つの疎水基を有するものであっても、２つ以上の疎水基を有するものであってもよい。
乳化分散剤および重合分散剤において、１分子に含まれる付加エチレンオキサイドの合計モル数を、１分子に含まれる疎水基の個数で割った値が８未満であるかあるいは８以上である。例えば、ポリオキシエチレン硬化ヒマシ油、ポリオキシエチレンヒマシ油、ポリオキシエチレンソルビット脂肪酸エステル等のように、分子内に複数の疎水基を有するノニオン性界面活性剤を乳化分散剤として用いる場合に、エチレンオキサイドモル数を疎水基の個数で割った値が８未満である必要がある。
具体的には、乳化時には微細かつ安定な乳化液を得るためだけに最適な界面活性剤を用い重合時には安定な重合液を得るのに最適な界面活性剤あるいは保護コロイドを加えることで、すなわち乳化時と重合前に用いる乳化剤を完全に分けることで、無溶剤下でも微細で極めて安定な乳化液をつくることができ、重合後の貯蔵安定性に優れた撥水撥油剤水性分散液をつくることに成功した。
また、共重合可能な重合性化合物の中で、揮発性の高い重合性化合物はその他の重合性化合物とともに乳化することが困難である。また、水溶性の高い重合性化合物は大量に存在することにより乳化剤のＨＬＢを変化させて乳化を阻害する場合がある。これらの重合性化合物は、その他の重合性化合物を望ましい平均粒子径および積分球濁度に乳化した後、重合前に添加することでパーフルオロアルキル基またはパーフルオロアルケニル基含有（メタ）アクリレートとの共重合が可能である。
本製造方法は実用化という面においても非常に有用な方法である。
本発明の分散液で処理される被処理物は、特に限定されないが、繊維製品、ガラス、紙、木材、皮革、レンガ、セメント、金属およびその酸化物、窯業製品、プラスチックなどであり、特に繊維、糸または布の形態である繊維製品であることが好ましい。
本発明の分散液を被処理物に適用するには、塗布、浸漬、吹きつけ、パッデイング、ロール被覆あるいはこれらの方法の組み合せによるのが望ましい。被処理物をこの浴でパッドし、次に普通絞りロールで過剰の液を除いて乾燥吸収（被処理物上の乾燥重合体の重量）が被処理物の約０．０１〜１重量％となるようにする。次いで処理された被処理物を１００〜２００℃に加熱するのがよい。
【発明の好ましい形態】
以下、実施例を示し、本発明を具体的に説明する。
特性は、次のようにして測定した。
乳化性
乳化性を、平均粒子径および積分球濁度により評価した。平均粒子径はレーザー粒径解析システムＬＰＡ−３０００を使用して動的光散乱法により測定した。積分球濁度はＰＯＩＣ積分球式濁度計ＳＥＰ−ＰＴ−７０６Ｄ型を使用して、ＪＩＳＫ−０１０１積分球式光電光度方式により測定した。
○：  平均粒子径１００ｎｍ以下かつ積分球濁度２０度（カオリン）以下
△：  平均粒子径１００ｎｍ以下あるいは積分球濁度２０度（カオリン）以下のいずれか一方のみを満たす
×：  平均粒子径１０１ｎｍ以上かつ積分球濁度２１度（カオリン）以上
Ｃｏａｇ．（コアギュレート）量
撥水撥油剤水性分散液組成物を４００メッシュＳＵＳ金網でろ過したとき、金網上の残存物の乾燥重量が組成物全体に占める割合を求めた。
○：  残存物の乾燥重量が撥水撥油剤水性分散液組成物の１００ｐｐｍ以下
△：  残存物の乾燥重量が撥水撥油剤水性分散液組成物の１０１ｐｐｍ以上で５００ｐｐｍ以下
×：  残存物の乾燥重量が撥水撥油剤水性分散液組成物の５０１ｐｐｍ以上
撥水撥油性
重合体分散液を固形分濃度が０．０８重量％になるよう水で希釈して処理液を調製する。ポリエステル布を処理液に浸漬し、マングルで絞って、ウェットピックアップ６５％とし、１００℃で２分間乾燥し、１６０℃で１分間熱処理した後に、処理布の撥水撥油性を評価する。
撥水性はＪＩＳ−Ｌ−１０９２のスプレー法による撥水性Ｎｏ．（下記表１参照）をもって表す。
撥油性はＡＡＴＣＣ−ＴＭ１１８によって下記表２に示す試験溶液を試験布上、２箇所に数滴たらし、３０秒後の浸透状態を観察し、浸漬を示さない試験溶液が与える撥油性の最高点を撥油性とする。
0005298399.tif 000004
0005298399.tif 000005
機械的安定性
水性分散液を水道水で固形分濃度０．２重量％に希釈し、これをホモミキサーで３，０００ｒｐｍ×１０分撹拌し、発生したスカムを黒の綿布に濾過した。
○：  スカムが全くない
△：  スカムが少しある
×：  スカムが多い
化学的安定性
水性分散液を水道水で固形分濃度０．６重量％に希釈し、そこへナイロン用ＦＩＸ剤０．０３重量％を添加し、よくかき混ぜて凝集物の発生を観察した。
○：  凝集物の発生が全くない
△：  凝集物がわずかに発生する
×：  凝集物が多量に発生する
貯蔵安定性
水性分散液（固形分３０重量％）を、４０℃で１ヶ月保存し、沈降の発生を観察する。
○：  全く沈降なし
△：  わずかに沈降あり
×：  多く沈降あり
【実施例１】  １ＬオートクレーブにＣｎＦ２ｎ＋１ＣＨ２ＣＨ２ＯＣＯＣＨ＝ＣＨ２（ｎ＝６，８，１０，１２，１４；平均８）１００ｇ、ステアリルアクリレート７ｇ、Ｎ−メチロールアクリルアミド３ｇ、純水４００ｇ、酢酸０．６ｇ、Ｃ１２Ｈ２５Ｏ（Ｃ２Ｈ４Ｏ）４Ｈ  ６ｇを入れ、撹拌下に８０℃で２０分間、超音波で乳化分散させた。乳化後、Ｃ１２Ｈ２５Ｏ（Ｃ２Ｈ４Ｏ）２１Ｈ  ７ｇに予備分散させておいたｎ−ドデシルメルカプタン１ｇを添加した。次に、塩化ビニル３０ｇを圧入充填した。アゾビスイソブチルアミジン−２塩酸塩０．８ｇを添加し、５時間反応させ、撥水撥油剤水性分散液を調製した。撥水撥油剤水性分散液について、乳化性、Ｃｏａｇ．量、撥水撥油性、機械的安定性、化学的安定性および貯蔵安定性を評価した。結果を表Ｂに示す。
【実施例２〜１１】
表Ａに示すように、実施例１における乳化用界面活性剤あるいは重合前添加用界面活性剤もしくは保護コロイドの各々の種類だけを変更し、乳化分散剤および重合分散剤のそれぞれの添加量は同じままとする以外は、実施例１と同様の手順を繰り返した。結果を表Ｂに示す。
【比較例１〜７】
表Ａに示すように、実施例１における乳化用界面活性剤あるいは重合前添加用界面活性剤もしくは保護コロイドの各々の種類だけを変更し、乳化分散剤および重合分散剤のそれぞれの添加量は同じままとする以外は、実施例１と同様の手順を繰り返した。結果を表Ｂに示す。
0005298399.tif 000006
0005298399.tif 000007
【発明の効果】
本発明によれば、有機溶剤を含まず、耐久性のある撥水撥油性及び優れた貯蔵安定性を有する撥水撥油剤水性分散液が得られる。